(57)【特許請求の範囲】
【請求項１】
複数の箱形の引出しと、該複数の引出しを出し入れ可能に支持する支持体とを備えた組立式収納家具において、
複数の引出しの大きさを順に小さく形成し、且つ大きさの下位の順位の引出しが大きさの１つ上位の順位の引出しに対して収納される大きさに形成し、
上記支持体を、上記各引出し毎に夫々対応して設けられ、該各引出しの出し入れ時に該各引出しをガイドする複数の開口を有した表面部材と、上記表面部材に組み付けられ上記各引出しを出し入れ可能に支承する支承部材と、上記表面部材の後側に設けられ上記支承部材が組み付けられる後側部材とを備えて構成し、
上記後側部材を、各引出しの後側左右に配置される一対の板材で形成したことを特徴とする組立式収納家具。
【請求項２】
上記複数の引出しを、複数のグループに分け、各グループ毎に複数の引出しの大きさを順に小さく形成し、且つ大きさの下位の順位の引出しが大きさの１つ上位の順位の引出しに対して収納される大きさに形成したことを特徴とする請求項１記載の組立式収納家具。
【請求項３】
上記表面部材を板材で形成し、該表面部材に開口を形成し、該各開口の大きさを対応する引出しの前面板が遊嵌する大きさに形成したことを特徴とする請求項１または２記載の組立式収納家具。
【請求項４】
上記支承部材を、各引出しの底面板を支承する板材で形成したことを特徴とする請求項１乃至３何れかに記載の組立式収納家具。
【請求項５】
上記表面部材及び上記後側部材の内側面に、上記支承部材が嵌入される支持溝を設けたことを特徴とする請求項１乃至４何れかに記載の組立式収納家具。
【請求項６】
上記表面部材と上記支承部材とを連結部材を用いて連結し、上記支承部材と上記後側部材とを連結部材を用いて連結したことを特徴とする請求項１乃至５何れかに記載の組立式収納家具。
【請求項７】
上記表面部材と上記支承部材とを連結させる連結部材と、上記支承部材と上記後側部材とを連結させる連結部材とを同じ形状に形成したことを特徴とする請求項６記載の組立式収納家具。
【請求項８】
上記連結部材を、上記表面部材の一側縁部または上記後側部材の一側縁部に嵌合する一方凹部と、該一方凹部に直交して設けられ上記支承部材の一側縁部に嵌合する他方凹部とを備えて形成したことを特徴とする請求項７記載の組立式収納家具。
【請求項９】
上記他方凹部に設けられ、上記支承部材の一側縁部に形成されるスリットに嵌合されて該支承部材の水平方向への移動を制止する制止片を備えたことを特徴とする請求項８記載の組立式収納家具。
【請求項１０】
上記連結部材に、上記引出しの後端が衝止するストッパを設けたことを特徴とする請求項６乃至９何れかに記載の組立式収納家具。
【発明の詳細な説明】
【技術分野】
【０００１】
本発明は、組立式収納家具に係り、特に、箱形の引出しを備えた組立式収納家具に関する。
【背景技術】
【０００２】
従来、組立式の収納家具としては、例えば、特許文献１（特開２００４−２４８９９２号公報）に掲載されたものが知られている。
これは、図２８に示すように、左右に設置される側板１０１，地板１０２及び天板１０３で枠体１００を構成し、この枠体１００で囲まれる収納空間に、複数の引出し１１０を取付けるための引出し用取付部１０４を取り付け、この引出し用取付部１０４に引出し１１０を支持させるようにしている。
【０００３】
【特許文献１】特開２００４−２４８９９２号公報
【発明の開示】
【発明が解決しようとする課題】
【０００４】
しかしながら、従来の組立式収納家具において、組み立て前は、側板１０１，地板１０２，天板１０３及び引出し用取付部１０４はバラバラにしてコンパクトにできるが、引出し１１０は、分解できないので、コンパクトにまとめることができずに嵩張ってしまい、そのため、組立式収納家具でも非組み立て状態で搬送しにくいという問題があった。
【０００５】
本発明は、このような問題点に鑑みてなされたもので、組み立て前の状態で、複数の引出しをコンパクトにまとめることができるようにし、非組み立て状態での搬送性の向上を図った組立式収納家具を提供することを目的とする。
【課題を解決するための手段】
【０００６】
このような目的を達成するため、本発明の組立式収納家具は、複数の箱形の引出しと、該複数の引出しを出し入れ可能に支持する支持体とを備えた組立式収納家具において、複数の引出しの大きさを順に小さく形成し、且つ大きさの下位の順位の引出しが大きさの１つ上位の順位の引出しに対して収納される大きさに形成した構成としている。
【０００７】
これにより、組み立て前の状態では、大きさの異なる複数の引出しは、最上位の大きさの引出しに１つ下位の大きさの引出しが収納され、これに、さらに１つ下位の大きさの引出しが収納される。このようにして全ての引出しが収納されていく。即ち、全ての引出しが入れ子構造になるように形成されているので、組み立て前の状態では、複数の引出しは、最上位の大きさの引出しの中に全て収納されるようになる。このように、組み立て前の状態で、複数の引出しをコンパクトにまとめることができるので、嵩張らず、そのため、持ち運びが容易になり、搬送性を向上させることができる。
【０００８】
そして、必要に応じ、上記複数の引出しを、複数のグループに分け、各グループ毎に複数の引出しの大きさを順に小さく形成し、且つ大きさの下位の順位の引出しが大きさの１つ上位の順位の引出しに対して収納される大きさに形成した構成としている。同じ大きさの引出しが２つ以上ある場合は、入れ子構造にならないので、同じ大きさの引出しを、複数のグループ毎に分ける。そして、各グループ毎に複数の引出しを入れ子構造にしてまとめる。これにより、同じ大きさの引出しが２つ以上必要な場合にも対応できるので、組み立て後の収納家具の用途に合わせて引出しの大きさや形状を形成することができ、そのため、収納家具の汎用性が増す。また、複数の引出しは、組み立て前の状態で、グループ毎にコンパクトにまとめることができるので、嵩張らず、そのため、持ち運びが容易になり、搬送性を向上させることができる。
【０００９】
また、必要に応じ、上記支持体を、上記各引出し毎に夫々対応して設けられ、該各引出しの出し入れ時に該各引出しをガイドする複数の開口を有した表面部材と、上記表面部材に組み付けられ上記各引出しを出し入れ可能に支承する支承部材と、上記表面部材の後側に設けられ上記支承部材が組み付けられる後側部材とを備えた構成としている。これにより、支持体を組み立てるときは、表面部材の後側に支承部材を組み付け、この支承部材に後側部材を組み付ける。この支持体に引出しを出し入れさせるときは、表面部材の開口から出し入れさせる。このとき、引出しは、開口によってガイドされるので、確実に引出しを出し入れさせることができる。また、引出しは支承部材によって支承されるので、引出しの支持が確実になる。この支承部材は、表面部材と後側部材に組み付けられているので、組み立て強度を確実に確保することができる。更に、後側部材を設けているので、この点でも組み立て強度を確実に確保することができる。
【００１０】
更に、必要に応じ、上記表面部材を板材で形成し、該表面部材に開口を形成し、該各開口の大きさを対応する引出しの前面板が遊嵌する大きさに形成した構成としている。表面部材を板材で形成することにより、嵩張らず、そのため、持ち運びが容易になり、搬送性を向上させることができる。また、各開口を引出しの前面板の大きさに対応して形成したので、確実に引出しをガイドすることができる。
【００１１】
更にまた、必要に応じ、上記支承部材を、各引出しの底面板を支承する板材で形成した構成としている。これにより、引出しは、その底面板が支承部材によって支承されるので、レール等に比較して支持が確実になる。
【００１２】
そして、また、必要に応じ、上記後側部材を、各引出しの後側左右に配置される一対の板材で形成した構成としている。これにより、引出しを全部覆わなくても引出しを支持できるので、支持体の非組み立て時に、これをより一層コンパクトにすることができる。
【００１３】
また、必要に応じ、上記表面部材及び上記後側部材の内側面に、上記支承部材が嵌入される支持溝を設けた構成としている。これにより、支持溝に支承部材を嵌入させるだけで良いので、支承部材の表面部材及び後側部材への組み付けが容易になる。また、支承部材の一側縁部が支持溝によって支持されるので、支承部材の組み付け強度が向上させられる。
【００１４】
更に、必要に応じ、上記表面部材と上記支承部材とを連結部材を用いて連結し、上記支承部材と上記後側部材とを連結部材を用いて連結した構成としている。これにより、表面部材と支承部材、支承部材と後側部材とを夫々強固に連結することができる。
【００１５】
更にまた、必要に応じ、上記表面部材と上記支承部材とを連結させる連結部材と、上記支承部材と上記後側部材とを連結させる連結部材とを同じ形状に形成した構成としている。これにより、連結部材の製造が容易になる。
【００１６】
そして、また、必要に応じ、上記連結部材を、上記表面部材の一側縁部または上記後側部材の一側縁部に嵌合する一方凹部と、該一方凹部に直交して設けられ上記支承部材の一側縁部に嵌合する他方凹部とを備えて形成した構成としている。これにより、１つの連結部材に、表面部材または後側部材の一側縁部と、支承部材の一側縁部とが嵌合されるので、確実に表面部材または後側部材と支承部材とを連結することができる。
【００１７】
また、必要に応じ、上記他方凹部に設けられ、上記支承部材の一側縁部に形成されるスリットに嵌合されて該支承部材の水平方向への移動を制止する制止片を備えた構成としている。これにより、支承部材の水平方向への移動は、制止片が支承部材のスリットに嵌合しているため、支承部材が水平方向の前後左右へ移動しようとしても、スリットの内側面が制止片にぶつかって、その移動が制止される。
【００１８】
更に、必要に応じ、上記連結部材に、上記引出しの後端が衝止するストッパを設けた構成としている。これにより、引出しを入れる際、引出しの後端がストッパに衝突して引出しの移動が制止させられるので、引出しが収納家具の後側から突出することが防止され、そのため、引出しを収納家具に確実に出し入れすることができる。
【発明の効果】
【００１９】
本発明の組立式収納家具によれば、大きさの異なる複数の引出しは、全ての引出しが入れ子構造になるように形成されているので、組み立て前の状態では、複数の引出しは、最上位の大きさの引出しの中に全て収納されるようになる。即ち、組み立て前の状態で、複数の引出しをコンパクトにまとめることができるので、嵩張らず、そのため、持ち運びが容易になり、搬送性を向上させることができる。
【発明を実施するための最良の形態】
【００２０】
以下、添付図面に基づいて本発明の実施の形態に係る組立式収納家具を説明する。
図１乃至図２０には、本発明の実施の形態に係る組立式収納家具Ｋを示している。本発明の組立式収納家具Ｋは、引出し１と、支持体１０と、連結部材５０とを備えてなる。
【００２１】
引出し１は、図１乃至図７，図１１に示すように、複数用いられ、上部に開口２を有した直方体に形成されている。この引出し１は、前面板３と後面板４と左右の側面板５と底面板６とで構成されている。この複数の引出し１の大きさを順に小さく形成し、且つ大きさの下位の順位の引出し１が大きさの１つ上位の順位の引出し１に対して収納される大きさに形成されている。また、最下位の大きさの引出し１を除く引出し１は、同じ大きさに形成されたものを２つずつ用いている。実施の形態では、７つの引出しを用い、３種類の大きさのものを夫々２つずつと、最下位の大きさのものを１つ用いている。この引出し１は、２つのグループＧ1，Ｇ2に分けられ、各グループＧ1，Ｇ2毎に複数の引出し１の大きさを順に小さく形成し、且つ大きさの下位の順位の引出し１が大きさの１つ上位の順位の引出し１に対して収納される大きさに形成されている。最下位の大きさの引出し１は、２つのグループＧ1，Ｇ2のうち、どちらのグループに属しても良い。実施の形態では、Ｇ1のグループに属している。更に、この引出し１には、前面板３に把手７が設けられている。
【００２２】
支持体１０は、図１，図４乃至図１１，図２０に示すように、各引出し１毎に夫々対応して設けられ、各引出し１の出し入れ時に、各引出し１をガイドする複数の開口２１を有した表面部材２０と、この表面部材２０に組み付けられ、各引出し１を出し入れ可能に支承する支承部材３０と、表面部材２０の後側に設けられ、支承部材３０が組み付けられる後側部材４０とを備えてなる。
【００２３】
表面部材２０は、図１，図４乃至図１１，図２０に示すように、木製の板材で形成されている。この表面部材２０は、矩形状の板材に開口２１が複数形成されている。実施の形態では、上下に並んで７つ設けられている。各開口２１は、その大きさが、対応する引出し１の前面板３が遊嵌する大きさに形成され、引出し１の開口２が上向きになるように収納される形状に形成されている。この開口２１は、最上段と最下段との大きさが同じ大きさに形成され、中央に向けて順に小さく形成された開口２１が設けられて、最下位の大きさの開口２１を中心に、上段３つの開口２１と下段３つの開口２１とが上下対称になるように形成されている。また、この表面部材２０には、その内側面２２に支承部材３０の一側縁部３１が嵌入される支持溝１１が形成されている。
【００２４】
支承部材３０は、図１，図５乃至図７，図９乃至図１１，図２０に示すように、各引出し１の底面板６を支承するもので、木製の板材で矩形状に形成されている。この支承部材３０は、複数用いられ、後側部材４０に組み付けられる左右の一側縁部３１ａ間の長さ、所謂横幅は、全て同じ長さに形成されている。また、横幅に直交する奥行きは、各引出し１の底面板６に対応した長さに形成されている。実施の形態では、７つの引出し１を夫々支承する７枚の支承部材３０を用いている。また、この組立式収納家具Ｋには、支承部材３０と同様の材質，形状で形成され、最上段の引出し１の開口２を被覆する天板１２が設けられている。更に、支承部材３０及び天板１２には、後側部材４０に組み付けられる左右の一側縁部３１ａと、表面部材２０に嵌入される前側一側縁部３１ｂ側とは反対側の後側一側縁部３１ｃとにスリット３２が形成されている。左右の一側縁部３１ａに形成されたスリット３２は、前側一側縁部３１ｂ近傍に左右夫々１つずつ形成され、後側一側縁部３１ｃに形成されたスリット３２は、左右の一側縁部３１ａ近傍に１つずつ形成されている。
【００２５】
後側部材４０は、図１，図５乃至図１１に示すように、各引出し１の後側左右に配置される一対の板材で形成されている。この後側部材４０は、長手方向の長さが表面部材２０の長手方向の長さと同じ長さに形成されている。また、この後側部材４０は、長手方向に沿う一側縁部４１のうち、収納家具Ｋの組み立て時において背面を形成する後側一側縁部４１ａが、支承部材３０の奥行き長さに対応して、後側一側縁部４１ａの中央に向かって括れ形成されるとともに段差が形成されている。また、この後側部材４０には、その内側面４２に支承部材３０の左右の一側縁部３１ａが嵌入される支持溝１１が形成されている。
【００２６】
連結部材５０は、図１，図４乃至図２０に示すように、表面部材２０と支承部材３０、支承部材３０と後側部材４０とを夫々連結させるもので、表面部材２０と支承部材３０とを連結させる連結部材５０と、支承部材３０と後側部材４０とを連結させる連結部材５０とは同じ形状且つ同じ大きさに形成されている。実施の形態では、連結部材を３２個用いている。
【００２７】
この連結部材５０は、表面部材２０の一側縁部２３または後側部材４０の一側縁部４１を嵌合する一方凹部５１と、この一方凹部５１に直交して設けられ支承部材３０の一側縁部３１を嵌合する他方凹部５２とを備えて形成されている。他方凹部５２は、一方凹部５１の中央部５３から直交して延びて形成され、一方凹部５１と他方凹部５２とは連通して形成されている。また、他方凹部５２には、支承部材３０の一側縁部３１に形成されるスリット３２に嵌合されて、支承部材３０の水平方向への移動を制止する制止片５４が形成されている。この制止片５４は、他方凹部５２の長手方向に直交する方向に延びて設けられている。更に、この連結部材５０には、引出し１の後端８が衝止するストッパ５５が設けられている。このストッパ５５は、一方凹部５１の一端５１ａ及び他端５１ｂと他方凹部５２の一方凹部５１と連通していない一端５２ａとを結ぶ辺と、一方凹部５１と、他方凹部５２とで囲繞された空間５６に設けられている。実施の形態では、この空間５６と同形に形成されている。
【００２８】
従って、この実施の形態に係る組立式収納家具Ｋは、組み立て前の状態では、引出し１と、表面部材２０と、支承部材３０と、後側部材４０と、連結部材５０とが夫々バラバラになっている。表面部材２０と、支承部材３０と、後側部材４０とからなる支持体１０は、全て板状なので、嵩張らず、持ち運びが容易である。また、連結部材５０は、一個体の大きさが小さいため、嵩張らず、持ち運びが容易である。また、引出し１は、最高位の大きさの引出し１に、１つ下位の大きさの引出し１が収納され、これに、さらに１つ下位の大きさの引出し１が収納される。これを１つのグループＧ1とし、このグループＧ1と同様のグループＧ2を形成する。このとき、最下位の大きさの引出し１は、２つのグループＧ1，Ｇ2のうち、どちらのグループに属してもよい。実施の形態では、Ｇ1のグループに属して収納されている。このように、７つの引出し１は、最高位の大きさの引出し１が２つの状態にまとめられる。即ち、引出し１を、コンパクトにまとめることができ、嵩張らず、そのため、持ち運びが容易になり、搬送性を向上させることができる。
【００２９】
そして、この実施の形態に係る組立式収納家具Ｋを組み立てるときは、以下のようにする。尚、以下の組み立ては順不同である。
（１）表面部材と天板及び支承部材とを組み付ける。
表面部材２０の内側面２２に設けられた支持溝１１に支承部材３０の一側縁部３１を嵌入させる。天板１２と奥行き長さの一番長い支承部材３０とを、最上段と最下段とに組み付け、中央に向けて順に奥行き長さの短い支承部材３０を組み付けていく。支承部材３０と天板１２とは、合わせて８枚用いられているので、奥行き長さの一番短い２枚の支承部材３０を中心として上段３枚の支承部材３０及び天板１２と下段３枚の支承部材３０とが上下対称になるように組み付ける。このとき、スリット３２の入っていない前側一側縁部３１ｂを支持溝１１に嵌入させる。支持溝１１に支承部材３０を嵌入させるだけで良いので、支承部材３０の表面部材２０への組み付けが容易になる。また、支承部材３０の前側一側縁部３１ｂが支持溝１１によって支持されるので、支承部材３０の組み付け強度を向上させることができる。
【００３０】
（２）  支承部材と後側部材とを組み付ける。
後側部材４０の内側面４２に設けられた支持溝１１に支承部材３０の一側縁部３１を嵌入させる。支承部材３１の組み付け順は、上記（１）と同様である。後側部材４０を、各引出し１の後側左右に一対配置させるので、支承部材３０の左右の一側縁部３１ａを後側部材４０の支持溝１１に嵌入させる。このとき、後側部材４０の後側一側縁部４１ａと支承部材３０の後側一側縁部３１ｃとが、組み立て後の側面から見て同じ位置に配置されるように組み付ける。支持溝１１に支承部材３０を嵌入させるだけで良いので、支承部材３０の後側部材４０への組み付けが容易になる。また、支承部材３０の左右の一側縁部３１ａが支持溝１１によって支持されるので、支承部材３０の組み付け強度を向上させることができる。
【００３１】
（３）  表面部材と支承部材とを連結部材で連結する。
表面部材２０の一側縁部２３に連結部材５０の一方凹部５１を嵌合させ、それと同時に支承部材３０の左右の一側縁部３１ａに他方凹部５２を嵌合させる。このとき、連結部材５０の制止片５４を、支承部材３０に形成されたスリット３２に嵌合させる。連結は、表面部材２０及び支承部材３０の左右両側から夫々行なう。これにより、表面部材２０と支承部材３０とを強固に連結させることができるとともに、支承部材３０の水平方向のうち前後方向への移動を制止させることができる。
【００３２】
（４）  支承部材と後側部材とを連結部材で連結する。
後側部材４０の後側一側縁部４１ａに連結部材５０の一方凹部５１を嵌合させ、それと同時に支承部材３０の後側一側縁部３１ｃに他方凹部５２を嵌合させる。このとき、連結部材５０の制止片５４を、支承部材３０に形成されたスリット３２に嵌合させる。支承部材３０と左右に設けられた一対の後側部材４０とを夫々連結する。これにより、支承部材３０と後側部材４０とを強固に連結させることができるとともに、支承部材３０の水平方向のうち左右方向への移動を制止させることができる。
【００３３】
このようにして支持体１０を組み付けたら、表面部材２０の開口２１から引出し１を入れる。詳しくは、表面部材２０の開口２１から、開口２１に対応した大きさの引出し１を入れていく。引出し１の後面板４から開口２１に向けて挿入し、開口２１のガイドに従って、挿入していく。挿入していくと、引出し１の後端８は、支承部材３０と後側部材４０とを連結している連結部材５０に設けられたストッパ５５に衝突する。このストッパ５５によって引出し１の移動が制止させられるので、引出し１が収納家具Ｋの後側から突出することが防止され、そのため、引出し１を収納家具Ｋに確実に入れることができる。
【００３４】
このように組み立てられた組立式収納家具Ｋは、引出し１の底面板６が板材からなる支承部材３０によって支承されているので、支承部材３０をレール等で構成した場合に比較して、その支持が確実になる。また、表面部材２０と支承部材３０と後側部材４０とが強固に連結されているので、支持体１０の組み付け強度を向上させることができる。
また、この組立式収納家具Ｋを使用するときは、引出し１を表面部材２０の開口２１から出し入れさせる。このとき、引出し１は、開口２１によってガイドされるので、確実に引出し１を出し入れさせることができる。また、引出し１を引き出すときは、前面板３に設けられた把手７を把持して引き出すことで、容易に引き出すことができる。
【００３５】
図２１乃至図２４には、本発明の実施の形態に係る組立式収納家具Ｋの別の例を示している。これは、表面部材２０を、略正方形状の板材を用いて構成し、これに、７つの引出し１に夫々対応する大きさの開口２１を形成している。そして、後側部材４０を表面部材２０と同じ大きさの板材を１枚用いて構成し、組み立て後において、表面部材２０と対向する背面に配置している。この後側部材４０が、各引出し１の後端８を衝止させるストッパの役割を果たしている。これによっても、上記と同様の作用，効果を奏する。
【００３６】
図２５乃至図２７には、本発明の実施の形態に係る組立式収納家具Ｋのまた別の例を示している。これは、表面部材２０を、矩形状の板材を用いて構成し、これに、５つの引出し１に夫々対応する大きさの開口２１を形成している。そして、後側部材４０を表面部材２０と同じ大きさの板材を１枚用いて構成し、組み立て後において、表面部材２０と対向する背面に配置している。この後側部材４０が、各引出し１の後端８を衝止させるストッパの役割を果たしている。これによっても、上記と同様の作用，効果を奏する。
【００３７】
尚、上記実施の形態において、引出し１を直方体に形成したが、必ずしもこれに限定されるものではなく、どのような形状でも良く、適宜変更して差支えない。
また、上記実施の形態において、表面部材２０を木製の板材で構成したが、必ずしもこれに限定されるものではなく、どのような材質，形状であっても良く、適宜変更して差支えない。
更に、上記実施の形態において、支承部材３０を木製の板材で構成したが、必ずしもこれに限定されるものではなく、どのような材質，形状であっても良く、適宜変更して差支えない。また、支承部材３０は引出し１の底面板６を支承すれば良く、例えば、レール等で構成しても良い。
【００３８】
尚また、上記実施の形態において、後側部材４０を上記の形状としたが、必ずしもこれに限定されるものではなく、どのような形状でも良く、適宜変更して差支えない。
また、上記実施の形態において、連結部材５０を上記の形状としたが、必ずしもこれに限定されるものではなく、支持体を連結できれば良く、適宜変更して差支えない。
更に、上記実施の形態において、ストッパ５５を上記の形状としたが、必ずしもこれに限定されるものではなく、引出しを衝止できれば良く、適宜変更して差支えない。また、ストッパ５５は、必ずしも連結部材５０に形成しなくても良く、ストッパを別に設けても良い。
更にまた、本発明の組立式収納家具Ｋを構成する引出し，支承部材，後側部材，連結部材の数は、上記実施の形態で用いた数に必ずしも限定されるものではなく、幾つ用いても良く、適宜変更して差支えない。
【図面の簡単な説明】
【００３９】
【図１】本発明の実施の形態に係る組立式収納家具を組み立て後の状態で示す斜視図である。
【図２】本発明の実施の形態に係る引出しを示す斜視図である。
【図３】本発明の実施の形態に係る引出しを組み立て前の状態で示す斜視図である。
【図４】本発明の実施の形態に係る組立式収納家具を組み立て後の状態で示す正面図である。
【図５】本発明の実施の形態に係る組立式収納家具を組み立て後の状態で示す背面図である。
【図６】本発明の実施の形態に係る組立式収納家具を組み立て後の状態で示す右側面図である。
【図７】本発明の実施の形態に係る組立式収納家具を組み立て後の状態で示す左側面図である。
【図８】本発明の実施の形態に係る組立式収納家具を組み立て後の状態で示す平面図である。
【図９】本発明の実施の形態に係る組立式収納家具を組み立て後の状態で示す底面図である。
【図１０】本発明の実施の形態に係る組立式収納家具を組み立て後の状態で示すＡ−Ａ断面図である。
【図１１】本発明の実施の形態に係る組立式収納家具の組み立て後の状態を示すＢ−Ｂ断面図である。
【図１２】本発明の実施の形態に係る連結部材を示す斜視図である。
【図１３】本発明の実施の形態に係る連結部材を示す正面図である。
【図１４】本発明の実施の形態に係る連結部材を示す背面図である。
【図１５】本発明の実施の形態に係る連結部材を示す平面図である。
【図１６】本発明の実施の形態に係る連結部材を示す底面図である。
【図１７】本発明の実施の形態に係る連結部材を示す右側面図である。
【図１８】本発明の実施の形態に係る連結部材を示す左側面図である。
【図１９】本発明の実施の形態に係る連結部材を示す側面断面図である。
【図２０】本発明の実施の形態に係る連結部材の連結部分を示す斜視図である。
【図２１】本発明の実施の形態に係る組立式収納家具の別の例を組み立て後の状態で示す正面図である。
【図２２】本発明の実施の形態に係る組立式収納家具の別の例を組み立て後の状態で示す背面図である。
【図２３】本発明の実施の形態に係る組立式収納家具の別の例を組み立て後の状態で示す右側面図である。
【図２４】本発明の実施の形態に係る組立式収納家具の別の例を組み立て後の状態で示す左側面図である。
【図２５】本発明の実施の形態に係る組立式収納家具のまた別の例を組み立て後の状態で示す正面図である。
【図２６】本発明の実施の形態に係る組立式収納家具のまた別の例を組み立て後の状態で示す底面図である。
【図２７】本発明の実施の形態に係る組立式収納家具のまた別の例を組み立て後の状態で示す側面図である。
【図２８】従来の組立式収納家具の一例を示す図である。
【符号の説明】
【００４０】
Ｋ  組立式収納家具
１  引出し
２  開口
３  前面板
４  後面板
５  側面板
６  底面板
７  把手
８  後端
１０  支持体
１１  支持溝
１２  天板
２０  表面部材
２１  開口
２２  内側面
２３  一側縁部
３０  支承部材
３１  一側縁部
３１ａ  左右一側縁部
３１ｂ  前側一側縁部
３１ｃ  後側一側縁部
３２  スリット
４０  後側部材
４１  一側縁部
４１ａ  後側一側縁部
４２  内側面
５０  連結部材
５１  一方凹部
５１ａ  一端
５１ｂ  他端
５２  他方凹部
５２ａ  一端
５３  中央部
５４  制止片
５５  ストッパ
５６  空間
【図１】
0005370952.tif 000002
【図２】
0005370952.tif 000003
【図３】
0005370952.tif 000004
【図４】
0005370952.tif 000005
【図５】
0005370952.tif 000006
【図６】
0005370952.tif 000007
【図７】
0005370952.tif 000008
【図８】
0005370952.tif 000009
【図９】
0005370952.tif 000010
【図１０】
0005370952.tif 000011
【図１１】
0005370952.tif 000012
【図１２】
0005370952.tif 000013
【図１３】
0005370952.tif 000014
【図１４】
0005370952.tif 000015
【図１５】
0005370952.tif 000016
【図１６】
0005370952.tif 000017
【図１７】
0005370952.tif 000018
【図１８】
0005370952.tif 000019
【図１９】
0005370952.tif 000020
【図２０】
0005370952.tif 000021
【図２１】
0005370952.tif 000022
【図２２】
0005370952.tif 000023
【図２３】
0005370952.tif 000024
【図２４】
0005370952.tif 000025
【図２５】
0005370952.tif 000026
【図２６】
0005370952.tif 000027
【図２７】
0005370952.tif 000028
【図２８】
0005370952.tif 000029